【事件の表示】
　特願２０１１−１９９３９２「遊技機」拒絶査定不服審判事件〔平成２５年　４月　４日出願公開、特開２０１３−　５９４７８〕について、次のとおり審決する。
【結　論】
　本件審判の請求は、成り立たない。
【理　由】
第１　手続の経緯
　本願は、平成２３年９月１３日の出願であって、平成２６年７月２８日付けで拒絶の理由が通知され、同年１０月３日に意見書及び手続補正書が提出されたところ、平成２７年５月１３日付けで拒絶査定がなされ、それに対して、同年８月１９日に拒絶査定不服審判の請求がなされると同時に、明細書及び特許請求の範囲に係る手続補正がなされたものである。
第２　平成２７年８月１９日付けの手続補正についての補正却下の決定
［補正却下の決定の結論］
　平成２７年８月１９日付けの手続補正（以下「本件補正」という。）を却下する。
［理由］
１　補正の内容 
　本件補正は、特許請求の範囲を補正する内容を含んでおり、本件補正により、特許請求の範囲は、 
「　【請求項１】
　遊技球が流下する遊技領域が画成された遊技盤に配設され、該遊技領域を遊技盤の盤面に沿って移動した遊技球が入賞可能に前方へ開口する入賞口を有すると共に該入賞口に連通する入賞空間が画成された本体と、前記本体に前記入賞口を開閉可能に設けられた開閉手段と、前記本体に配置され、前記入賞口から前記入賞空間へ流入した遊技球を検出する検出手段とを備え、所定の開放条件の成立により前記開閉手段を開動作して前記入賞口を開き、所定の閉鎖条件の成立により該開閉手段を閉動作して該入賞口を閉じるよう構成された入賞装置を備えた遊技機において、
　前記入賞口における左右の何れか一方の開口端側から、前記入賞空間へ遊技球が主として流入するよう構成され、
　前記検出手段は、前記入賞口における遊技球が主として流入する第１開口端側とは反対に位置する第２開口端側に配置され、
　前記入賞空間には、遊技球を前記検出手段に向けて案内する案内部が設けられ、
　前記案内部は、前記検出手段から離れた位置に設けられた第１案内壁と、該第１案内壁より該検出手段側に近接した位置に設けられた第２案内壁とから構成され、
　前記第２案内壁は、前記第１案内壁よりも前記入賞口から後方へ離れて設けられていることを特徴とする遊技機。
　　【請求項２】
　前記第１案内壁および第２案内壁の夫々は、前記検出手段から離れた側が該入賞口に最も近く、前記検出手段に近づくにつれて該入賞口から離れるように設けられ、
　前記第２案内壁は、前記入賞空間の底面から立ち上がるように設けられて、遊技球を当て受けて案内する球案内面を前部に備え、
　前記第２案内壁の球案内面は、下端から上端に近づくにつれて後方へ変位するよう傾斜すると共に、前記第１案内壁側から前記検知手段に近づくにつれて前記底面に対する傾斜が徐々に小さくなるように形成されている請求項１記載の遊技機。
　　【請求項３】
　前記検出手段は、遊技球が通過する球検出口を前記入賞口の第１開口端側へ向けた状態で、該球検出口が前記入賞空間に臨むように配置され、
　前記検出手段の前側には、前記入賞口に臨むと共に該検出手段に係止する保持部が設けられている請求項１または２記載の遊技機。
　　【請求項４】
　前記第１案内壁は、前記入賞空間の上面に下方へ突出するように設けられて、遊技球を当て受けて案内する球案内面を前部に備え、
　前記第１案内壁の球案内面は、上端から下端に近づくにつれて後方へ変位するよう傾斜すると共に、前記検出手段側に近づくにつれて後方へ変位するよう形成され、
　前記開動作により前記入賞口の下側において前方へ延出した前記開閉手段上に落下した遊技球を、前記第１案内壁により前記検出手段に向けて案内するよう構成された請求項１〜３の何れか一項に記載の遊技機。」
から、 
「　【請求項１】
　遊技球が流下する遊技領域が画成された遊技盤に配設され、該遊技領域を遊技盤の盤面に沿って移動した遊技球が入賞可能に前方へ開口する入賞口を有すると共に該入賞口に連通する入賞空間が画成された本体と、前記本体に前記入賞口を開閉可能に設けられた開閉手段と、前記本体に配置され、前記入賞口から前記入賞空間へ流入した遊技球を検出する検出手段とを備え、所定の開放条件の成立により前記開閉手段を開動作して前記入賞口を開き、所定の閉鎖条件の成立により該開閉手段を閉動作して該入賞口を閉じるよう構成された入賞装置を備えた遊技機において、
　前記入賞口における左右の何れか一方の開口端側から、前記入賞空間へ遊技球が主として流入するよう構成され、
　前記検出手段は、前記入賞口における遊技球が主として流入する第１開口端側とは反対に位置する第２開口端側に配置され、
　前記入賞空間には、遊技球を前記検出手段に向けて案内する案内部が設けられ、
　前記案内部は、前記検出手段から離れた位置に設けられ
て、前記遊技球を前記検出手段に向けて案内する球案内面を前部に備えた
て、前記遊技球を前記検出手段に向けて案内する球案内面を前部に備えた
　前記第２案内壁
の球案内面
の球案内面
た位置
、前後に離間した両球案内面の間に位置する壁面で前記第２開口端側から流入した遊技球を受け止め可能な段差状に前記案内部が形成されている
ことを特徴とする遊技機。
　　【請求項２】
　
遊技球が流下する遊技領域が画成された遊技盤に配設され、該遊技領域を遊技盤の盤面に沿って移動した遊技球が入賞可能に前方へ開口する入賞口を有すると共に該入賞口に連通する入賞空間が画成された本体と、前記本体に前記入賞口を開閉可能に設けられた開閉手段と、前記本体に配置され、前記入賞口から前記入賞空間へ流入した遊技球を検出する検出手段とを備え、所定の開放条件の成立により前記開閉手段を開動作して前記入賞口を開き、所定の閉鎖条件の成立により該開閉手段を閉動作して該入賞口を閉じるよう構成された入賞装置を備えた遊技機において、
　前記入賞口における左右の何れか一方の開口端側から、前記入賞空間へ遊技球が主として流入するよう構成され、
　前記検出手段は、前記入賞口における遊技球が主として流入する第１開口端側とは反対に位置する第２開口端側に配置され、
　前記入賞空間には、遊技球を前記検出手段に向けて案内する案内部が設けられ、
　前記案内部は、前記検出手段から離れた位置に設けられた第１案内壁と、該第１案内壁より該検出手段側に近接した位置に設けられた第２案内壁とから構成され、
　前記第２案内壁は、前記第１案内壁よりも前記入賞口から後方へ離れて設けられており、
　前記第１案内壁および第２案内壁の夫々は、前記検出手段から離れた側が該入賞口に最も近く、前記検出手段に近づくにつれて該入賞口から離れるように設けられ、
　前記第２案内壁は、前記入賞空間の底面から立ち上がるように設けられて、遊技球を当て受けて案内する球案内面を前部に備え、
　前記第２案内壁の球案内面は、下端から上端に近づくにつれて後方へ変位するよう傾斜すると共に、前記第１案内壁側から前記検
出
ことを特徴とする
　　【請求項３】
　
遊技球が流下する遊技領域が画成された遊技盤に配設され、該遊技領域を遊技盤の盤面に沿って移動した遊技球が入賞可能に前方へ開口する入賞口を有すると共に該入賞口に連通する入賞空間が画成された本体と、前記本体に前記入賞口を開閉可能に設けられた開閉手段と、前記本体に配置され、前記入賞口から前記入賞空間へ流入した遊技球を検出する検出手段とを備え、所定の開放条件の成立により前記開閉手段を開動作して前記入賞口を開き、所定の閉鎖条件の成立により該開閉手段を閉動作して該入賞口を閉じるよう構成された入賞装置を備えた遊技機において、
　前記入賞口における左右の何れか一方の開口端側から、前記入賞空間へ遊技球が主として流入するよう構成され、
　前記検出手段は、前記入賞口における遊技球が主として流入する第１開口端側とは反対に位置する第２開口端側に配置され、
　前記入賞空間には、遊技球を前記検出手段に向けて案内する案内部が設けられ、
　前記案内部は、前記検出手段から離れた位置に設けられた第１案内壁と、該第１案内壁より該検出手段側に近接した位置に設けられた第２案内壁とから構成され、
　前記第２案内壁は、前記第１案内壁よりも前記入賞口から後方へ離れて設けられており、
　前記第１案内壁は、前記入賞空間の上面に下方へ突出するように設けられて、遊技球を当て受けて案内する球案内面を前部に備え、
　前記第１案内壁の球案内面は、上端から下端に近づくにつれて後方へ変位するよう傾斜すると共に、前記検出手段側に近づくにつれて後方へ変位するよう形成され、
　前記開動作により前記入賞口の下側において前方へ延出した前記開閉手段上に落下した遊技球を、前記第１案内壁により前記検出手段に向けて案内するよう構成された
ことを特徴とする
　　【請求項４】
　前記検出手段は、遊技球が通過する球検出口を前記入賞口の第１開口端側へ向けた状態で、該球検出口が前記入賞空間に臨むように配置され、
　前記検出手段の前側には、前記入賞口に臨むと共に該検出手段に係止する保持部が設けられている請求項１
〜３の何れか一項に
に補正された（下線は、補正箇所を明示するために審決にて付した。）。
２　補正の適否
（１）本件補正
　本件補正は、特許請求の範囲について、以下に挙げる補正事項を含むものである。
ア　補正前の請求項１における「前記案内部は、前記検出手段から離れた位置に設けられた第１案内壁と、該第１案内壁より該検出手段側に近接した位置に設けられた第２案内壁とから構成され、前記第２案内壁は、前記第１案内壁よりも前記入賞口から後方へ離れて設けられている」との記載を、
「前記案内部は、前記検出手段から離れた位置に設けられ
て、前記遊技球を前記検出手段に向けて案内する球案内面を前部に備えた
て、前記遊技球を前記検出手段に向けて案内する球案内面を前部に備えた
の球案内面
の球案内面
た位置
、前後に離間した両球案内面の間に位置する壁面で前記第２開口端側から流入した遊技球を受け止め可能な段差状に前記案内部が形成されている
イ　補正前の請求項２における「前記検知手段」との記載を、「前記検出手段」とする補正。
ウ　補正前の請求項１に従属していた補正前の請求項２を、独立形式の請求項２とする補正。
エ　補正前の請求項１に従属していた補正前の請求項４を、独立形式の請求項３とする補正。
オ　補正前の請求項１、２に従属していた補正前の請求項３を、補正後の請求項１、２、３に従属する請求項４とする補正。
（２）補正の目的要件違反等についての検討
ア　補正事項アについて
　補正事項アは、「第１案内壁と第２案内壁とから構成される案内部」の構成に関して、第１案内壁が遊技球を検出手段に向けて案内する球案内面を前部に備える点、第２案内壁が遊技球を検出手段に向けて案内する球案内面を前部に備える点、第２案内壁の球案内面が、前記第１案内壁の球案内面よりも入賞口から後方へ離れた位置に設けられる点及び、案内部が前後に離間した両球案内面の間に位置する壁面で第２開口端側から流入した遊技球を受け止め可能な段差状に形成される点を具体的に限定する補正であり、かつ、産業上の利用分野及び解決しようとする課題が同一であるので、特許法第１７条の２第５項第２号に規定する特許請求の範囲の減縮を目的とするものに該当する。
イ　補正事項イについて
　補正事項イは、補正前の請求項１において、「前記検知手段」との記載以前に「検知手段」との記載が存在せず、「前記検知手段」が何を示すものか不明りょうであったところ、「前記検出手段」と補正することで不明りょうな記載を釈明するものであるから、特許法第１７条の２第５項第４号に規定する明りょうでない記載の釈明を目的とするものに該当する。
ウ　補正事項ウ、エについて
　補正事項ウ、エはいずれも、補正前の従属形式の請求項を独立形式の請求項に補正するものであるから、実質的な補正ではない。
エ　補正事項オについて
　補正事項オの従属形式の請求項の内、「補正後の請求項１に従属する請求項４」は、補正事項アと同じ理由で、「補正前の請求項１に従属する補正前の請求項３」を具体的に限定する補正であるから、特許法第１７条の２第５項第２号に規定する特許請求の範囲の減縮を目的とするものに該当する。
　また、補正事項オの従属形式の請求項の内、「補正後の請求項２に従属する請求項４」および「補正後の請求項３に従属する請求項４」はそれぞれ、「補正前の請求項２に従属する補正前の請求項３」および「補正前の請求項３に従属する補正前の請求項４」に対応するものであるから、実質的な補正ではない。
　そして、上記補正事項ア〜オは新規事項を追加するものではない。
３　独立特許要件について
　本件補正後の請求項１に記載された発明（以下「本願補正発明」という。）が、特許出願の際独立して特許を受けることができるものであるか（特許法第１７条の２第６項において準用する同法第１２６条第７項の規定に適合するか）について、以下に検討する。
（１）刊行物に記載された発明
　原査定の拒絶の理由に引用文献１として引用された特開２０１１−９２３０１号公報（以下「刊行物１」という。）には、図面とともに以下の事項が記載されている（下線は審決で付した。以下同じ。）。
（１−ａ）「【００１０】
・・・
このパチンコ遊技機１００は、遊技球が打ち出される遊技盤１１０
を備えている。
【００１１】
　
遊技盤１１０は、前面に、遊技球により遊技を行うための遊技領域１１１を備えている
（１−ｂ）「【００１５】
　また、本実施の形態では、入賞や抽選に関するその他の役物として、
特別図柄抽選の結果に応じて開放する特別電動役物としての大入賞口１２５
（１−ｃ）【０１０１】
　次に、大入賞口動作制御部２３８は、ステップ１４０４で設定された作動パターンにおける開放時間を経過したか否かを判断する（ステップ１４０８）。大入賞口１２５での開放状態が開放時間を経過していない場合（ステップ１４０８でＮｏ）、次に大入賞口動作制御部２３８は、大入賞口１２５への入賞個数Ｃが規定の個数（例えば９個）以上か否かを判断する（ステップ１４０９）。開放時間を経過しておらず、かつ入賞個数Ｃが規定個数未満である場合は、大入賞口１２５の作動状態（開放状態）が継続されるので、大入賞口処理を終了する（ステップ１４０９でＮｏ）。一方、開放時間を経過したか（ステップ１４０８でＹｅｓ）、または
入賞個数Ｃが規定個数に達した場合（ステップ１４０９でＹｅｓ）、大入賞口動作制御部２３８は、大入賞口１２５を作動終了（閉口）する
（１−ｄ）「【０１３０】
・・・さらに説明すると、ゲート１２４および大入賞口１２５に向けて
落下していく遊技領域１１１ｂの遊技球は、
大入賞口１２５が開いていれば主に大入賞口１２５に入賞し
・・・
【０１３１】
　それゆえ、
特別図柄抽選の結果が大当たりの場合など大入賞口１２５が開状態となるときには、遊技者は、より多くの払出球を獲得すべく、
レバー１５２の回転角度を大きくして案内部材１１３を介して遊技領域１１１ｂの下部に遊技球を供給するいわゆる右打ち
・・・
【０１３５】
　また、盤面構成ユニット５００は、本体部１０の背面側に配設され、本体部１０に２箇所のねじ締結で取り付けられる大入賞口ユニット６５０を備えている。
この大入賞口ユニット６５０は、大入賞口１２５（図１９−１参照）を有する。
大入賞口ユニット６５０は、
開閉可能に軸支される大入賞口１２５用の扉６５１と
を有する。
（１−ｅ）「【０１６４】
〔大入賞口ユニット６５０の構成〕
・・・
　大入賞口ユニット６５０が本体部１０に取り付けられると、大入賞口ユニット６５０の扉６５１は、本体部１０の開口部１３に位置する。
扉６５１は、遊技制御部２００（図３参照）の制御下、開閉機構部６５２によって開閉動作を行う。なお、大入賞口ユニット６５０の扉６５１および開閉機構部６５２は、大入賞口開閉部２１６（図３参照）の一部を構成するものである
（１−ｆ）「【０１６６】
　図２７は、大入賞口ユニット６５０の内部構成を説明する斜視図である。なお、図２７では、説明の便宜のためにケース部６５４の一部を破断して図示している。
　図２７に示すように、
大入賞口ユニット６５０は、
大入賞口スイッチ２１５に、遊技球を導くための床面６５５および仕切り壁６５６を備えている。
大入賞口ユニット６５０は、大入賞口スイッチ２１５を
１個だけ備えている。
　さらに説明すると、床面６５５は、遊技球が転がる面を構成する。また、仕切り壁６５６は、床面６５５から立設して形成され、開閉機構部６５２と仕切る。すなわち、
大入賞口ユニット６５０の内部は、仕切り壁６５６によって、大入賞口１２５に入った遊技球が通る空間Ａ１と、開閉機構部６５２等の部品が配置される空間Ａ２と、に仕切られる。
空間Ａ１は、大入賞口１２５で入賞が検出される遊技球が大入賞口スイッチ２１５に向かう通路
（１−ｇ）「【０１７４】
　また別の球滞留の発生防止対策としては、本実施の形態では、仕切り壁６５６に対するものである。
　図２７に示すように、
仕切り壁６５６は、仕切り壁６５６のすべてが遊技盤１１０の盤面Ｂ（図２４参照）に対して略平行に形成されているのではなく、盤面Ｂ（図２４参照）に対して傾斜する部分を有するように形成されている。
仕切り壁６５６は、開閉機構部６５２が位置する側（大入賞口ユニット６５０を正面視で右側）では空間Ａ１が狭くて空間Ａ２が広くなるように形成されている。そして、仕切り壁６５６は、大入賞口スイッチ２１５が位置する側（大入賞口ユニット６５０を正面視で左側）では空間Ａ１が広くて空間Ａ２が狭くなるように形成されている。
（１−ｈ）「【０１７５】
　さらに説明すると、盤面構成ユニット５００が遊技盤１１０に取り付けられた状態では、図２７に示すように、扉６５１の右端に、プランジャ８２が右側に位置するようにソレノイド８１を配置し、また、
扉６５１の左端に大入賞口スイッチ２１５を配置している。本実施の形態に係るパチンコ遊技機１００は、上述したように、右打ちを行う機種であり、
大入賞口ユニット６５０の扉６５１が開くと、右側から遊技球が大入賞口１２５に入賞し、仕切り壁６５６に導かれるように、大入賞口スイッチ２１５に向かう。
　このように、本実施の形態では、大入賞口１２５に入賞した遊技球は、円滑に大入賞口スイッチ２１５で検出される。したがって、大入賞口１２５に入賞してから大入賞口スイッチ２１５で検出されるまでの時間が短いので、１ラウンド当たりの大入賞口１２５の入賞個数の上限を超えて入賞してしまうことを防止することが可能になる。」 
（１−ｉ）図２７は、大入賞口ユニットの内部構成を説明する斜視図であるが、これを正面視からみるとすると、仕切り壁６５６が、正面視左側から、大入賞口スイッチ２１５に最も近接した位置に設けられた
第１の壁面と、その右側につながる第２の壁面
　そして、上記（１−ｇ）の記載も考慮して、図２７を平面視からみるとすると、第１の壁面が、第１〜第４の壁面の中で大入賞口用の扉６５１から最も後方へ離れた位置（空間Ａ１が広くなる位置）に設けられること、及び、前後に離間した第１の壁面と第３の壁面の間に第２の壁面が位置し、
該第２の壁面は、左から右へ連続するにつれて前方（扉６５１側）に突出するよう傾斜し
（１−ｊ）上記（１−ｂ）の「
特別図柄抽選の結果に応じて開放する特別電動役物としての大入賞口１２５
入賞個数Ｃが規定個数に達した場合（ステップ１４０９でＹｅｓ）、大入賞口動作制御部２３８は、大入賞口１２５を作動終了（閉口）する
　また、上記（１−ｅ）の「
扉６５１は、遊技制御部２００（図３参照）の制御下、開閉機構部６５２によって開閉動作を行う。なお、大入賞口ユニット６５０の扉６５１および開閉機構部６５２は、大入賞口開閉部２１６（図３参照）の一部を構成するものである
　よって、上記（１−ｂ）、（１−ｃ）及び（１−ｅ）から、「扉６５１は、特別図柄抽選の結果に応じて扉６５１を開動作して前記大入賞口１２５を開放し、入賞個数が規定個数に達した場合、扉６５１を閉動作して前記大入賞口１２５を閉口する」ものといえる。
（１−ｋ）上記（１−ｄ）の「大入賞口１２５が開いていれば主に大入賞口１２５に入賞し」との記載から、「大入賞口１２５」は開口であり、その左端に「左開口端」を、右端に「右開口端」を有するものといえる。
　そして、（１−ｈ）の「扉６５１の左端に大入賞口スイッチ２１５を配置」、「大入賞口ユニット６５０の扉６５１が開くと、右側から遊技球が大入賞口１２５に入賞し」との記載から、「大入賞口ユニット６５０の扉６５１が開くと、大入賞口１２５の右開口端側から遊技球が大入賞口１２５に入賞し、大入賞口１２５の右開口端側とは反対に位置する左開口端側に大入賞口スイッチ２１５が配置されている」ものといえる。
　上記（１−ａ）〜（１−ｉ）の記載事項及び（１−ｊ）、（１−ｋ）の認定事項を総合すると、刊行物１には、次の発明が記載されていると認められる（以下「刊行物１発明」という。）
「遊技球が落下する遊技領域１１１を前面に備えた遊技盤１１０に取り付けられ、開いていれば遊技領域を落下していく遊技球が入賞する大入賞口１２５を有すると共に該大入賞口１２５に入った遊技球が通る空間Ａ１が内部に設けられた大入賞口ユニット６５０と、大入賞口ユニット６５０に開閉可能に軸支される大入賞口１２５用の扉６５１と、前記大入賞口ユニット６５０に備えられ、前記大入賞口１２５から空間Ａ１を通って向かってくる遊技球を検出する大入賞口スイッチ２１５とを備え、特別図柄抽選の結果に応じて扉６５１を開動作して前記大入賞口１２５を開放し、入賞個数が規定個数に達した場合、扉６５１を閉動作して前記大入賞口１２５を閉口するよう構成された入賞装置を備えた遊技機であって、
　前記遊技機は、遊技者が、特別図柄抽選の結果が大当たりの場合など大入賞口１２５が開状態となるときにより多くの払出球を獲得すべく、レバー１５２の回転角度を大きくして案内部材１１３を介して遊技領域１１１ｂの下部に遊技球を供給するいわゆる右打ちを行う機種であり、大入賞口ユニット６５０の扉６５１が開くと、大入賞口１２５の右開口端側から遊技球が大入賞口１２５に入賞し、
　大入賞口１２５の右開口端側とは反対に位置する左開口端側に大入賞口スイッチ２１５が配置されており、
　大入賞口ユニット６５０は、空間Ａ１を通る遊技球を大入賞口スイッチ２１５に導くための床面および仕切り壁６５６を備え、大入賞口１２５の右開口端側から入賞した遊技球は、仕切り壁６５６に導かれるように、大入賞口スイッチ２１５に向かう構成であり、
　前記仕切り壁６５６が、正面視左側から、大入賞口スイッチ２１５に最も近接した位置に設けられた第１の壁面と、その右側につながる第２の壁面、第３の壁面及び第４の壁面を備え、
　平面視でみると、第１の壁面が、第１〜第４の壁面の中で大入賞口１２５用の扉６５１から最も後方へ離れた位置に設けられ、前後に離間した第１の壁面と第３の壁面の間に第２の壁面が位置し、該第２の壁面は、左から右へ連続するにつれて前方（扉６５１側）に突出するよう傾斜し、それらの構成によって、第１〜第４の壁面が段差状に形成される遊技機。」
（２）対比
　本願補正発明と刊行物１発明とを対比する。
ア　刊行物１発明の「落下」は、本願補正発明の「流下」に相当する。
　また、刊行物１発明の「遊技盤１１０」は、その前面に遊技領域１１１を備えていることから、刊行物１発明の遊技球は、遊技領域を遊技盤の盤面に沿って移動するものといえる。
　さらに、刊行物１発明の「大入賞口１２５」は、開いていれば遊技球が入賞するものであるから、遊技球が入賞可能に前方へ開口するものといえる。
　そして、刊行物１発明の「空間Ａ１」は、大入賞口１２５に入った遊技球が通ることから、大入賞口１２５に連通しているものであるといえる。
　よって、刊行物１発明の「遊技球が落下する遊技領域１１１を前面に備えた遊技盤１１０に取り付けられ、開いていれば遊技領域を落下していく遊技球が入賞する大入賞口１２５を有すると共に該大入賞口１２５に入った遊技球が通る空間Ａ１が内部に設けられた大入賞口ユニット６５０」は、本願補正発明の「遊技球が流下する遊技領域が画成された遊技盤に配設され、該遊技領域を遊技盤の盤面に沿って移動した遊技球が入賞可能に前方へ開口する入賞口を有すると共に該入賞口に連通する入賞空間が画成された本体」に相当する。
イ　刊行物１発明の「大入賞口ユニット６５０」、「大入賞口１２５」、「開閉可能に軸支される大入賞口１２５用の扉６５１」、「空間Ａ１」、「特別図柄抽選の結果に応じて」及び「入賞個数が規定個数に達した場合」は、本願補正発明の「本体」、「入賞口」、「入賞口を開閉可能に設けられた開閉手段」、「入賞空間」、「所定の開放条件の成立により」及び「所定の閉鎖条件の成立により」に相当する。
　また、刊行物１発明の「大入賞口スイッチ２１５」は、大入賞口１２５から空間Ａ１を通って向かってくる遊技球を検出するものであるから、本願補正発明の「検出手段」に相当する。
　よって、刊行物１発明の「大入賞口ユニット６５０に開閉可能に軸支される大入賞口１２５用の扉６５１と、前記大入賞口ユニット６５０に備えられ、前記大入賞口１２５から空間Ａ１を通って向かってくる遊技球を検出する大入賞口スイッチ２１５とを備え、特別図柄抽選の結果に応じて扉６５１を開動作して前記大入賞口１２５を開放し、入賞個数が規定個数に達した場合、扉６５１を閉動作して前記大入賞口１２５を閉口するよう構成された入賞装置」は、本願補正発明の「前記本体に前記入賞口を開閉可能に設けられた開閉手段と、前記本体に配置され、前記入賞口から前記入賞空間へ流入した遊技球を検出する検出手段とを備え、所定の開放条件の成立により前記開閉手段を開動作して前記入賞口を開き、所定の閉鎖条件の成立により該開閉手段を閉動作して該入賞口を閉じるよう構成された入賞装置」に相当する。
ウ　刊行物１発明の遊技機は、大入賞口１２５が開状態となるときにいわゆる右打ちを行う機種であり、大入賞口ユニット６５０の扉６５１が開くと、大入賞口１２５の右開口端側から遊技球が大入賞口１２５に入賞することから、大入賞口１２５の右開口端側から空間Ａ１へ遊技球が主として流入するよう構成されているといえる。
　そして、刊行物１発明の「大入賞口スイッチ２１５」は、遊技球が大入賞口１２５に主として流入する右開口端側とは反対に位置する左開口端側に配置されるものである。
　よって、刊行物１発明の「右開口端側」及び「左開口端側」は、本願補正発明の「第１開口端側」及び「第２開口端側」に相当し、刊行物１発明の「前記遊技機は、遊技者が、特別図柄抽選の結果が大当たりの場合など大入賞口１２５が開状態となるときにより多くの払出球を獲得すべく、レバー１５２の回転角度を大きくして案内部材１１３を介して遊技領域１１１ｂの下部に遊技球を供給するいわゆる右打ちを行う機種であり、大入賞口ユニット６５０の扉６５１が開くと、大入賞口１２５の右開口端側から遊技球が大入賞口１２５に入賞し、大入賞口１２５の右開口端側とは反対に位置する左開口端側に大入賞口スイッチ２１５が配置され」る点は、本願補正発明の「前記入賞口における左右の何れか一方の開口端側から、前記入賞空間へ遊技球が主として流入するよう構成され、前記検出手段は、前記入賞口における遊技球が主として流入する第１開口端側とは反対に位置する第２開口端側に配置され」る点に相当する。
エ　刊行物１発明の「仕切り壁６５６」は、空間Ａ１を通る遊技球を大入賞口スイッチ２１５に導くために設けられ、大入賞口１２５に入賞した遊技球は、仕切り壁６５６に導かれるように、大入賞口スイッチ２１５に向かうものであるから、空間Ａ１に設けられ、遊技球を大入賞口スイッチ２１５に向けて案内するものといえるから、
　よって、刊行物１発明の「仕切り壁６５６」は、本願補正発明の「案内部」に相当する。
オ　刊行物１発明の「仕切り壁６５６」は、遊技球が、その「仕切り壁６５６」に導かれるように大入賞口スイッチ２１５に向かうものであるから、「仕切り壁６５６の第１〜第４の壁面」は、遊技球と接触し、大入賞口スイッチ２１５に向けて案内する球案内面を前部に備えているものといえる。
　そして、刊行物１発明の「第１の壁面」は、大入賞口スイッチ２１５に最も近接した位置に設けられており、前記「第３の壁面及び第４の壁面」より大入賞口スイッチ２１５に近接した位置に設けられているから、本願補正発明の「第２案内壁」に相当する。
カ　刊行物１発明の「第３の壁面及び第４の壁面」は、他の部分と共に仕切り壁６５６を構成しており、正面視で、第１の壁面及び第２の壁面より大入賞口スイッチ２１５から離れた大入賞口スイッチ２１５と反対側の位置に設けられている。
　また、本願補正発明の「第１案内壁」は、案内部を構成し、「検出手段から離れた位置」、すなわち、検出手段と反対側の位置に設けられるものである。
　よって、刊行物１発明の「第３の壁面及び第４の壁面」と、本願補正発明の「第１案内壁」とは、案内部を構成し、「検出手段から離れた位置に設けられて、遊技球を検出手段に向けて案内する球案内面を前部に備え」た、検出手段と反対側に位置する案内壁（以下、「反対側案内壁」という。）である点で共通している。
キ　刊行物１発明の「第２の壁面」は、前後に離間した第１の壁面（第２案内壁）の球案内面と「第３の壁面及び第４の壁面」（反対側案内壁）の球案内面の間に位置するから、本願補正発明の「壁面」に相当する。
ク　刊行物１発明の「仕切り壁６５６」は、第１〜第４の壁面で段差状に形成されたものである。
　よって、刊行物１発明の「前記仕切り壁６５６が、正面視左側から、大入賞口スイッチ２１５に最も近接した位置に設けられた第１の壁面と、その右側につながる第２の壁面、第３の壁面及び第４の壁面を備え、平面視でみると、第１の壁面が、第１〜第４の壁面の中で大入賞口１２５用の扉６５１から最も後方へ離れた位置に設けられ、前後に離間した第１の壁面と第３の壁面の間に第２の壁面が位置し、該第２の壁面は、左から右へ連続するにつれて前方（扉６５１側）に突出するよう傾斜し、それらの構成によって、第１〜第４の壁面が段差状に形成される」構成と、
　本願補正発明の「前記案内部は、前記検出手段から離れた位置に設けられて、前記遊技球を前記検出手段に向けて案内する球案内面を前部に備えた第１案内壁と、該第１案内壁より該検出手段側に近接した位置に設けられて、前記遊技球を前記検出手段に向けて案内する球案内面を前部に備えた第２案内壁とから構成され、前記第２案内壁の球案内面は、前記第１案内壁の球案内面よりも前記入賞口から後方へ離れた位置に設けられて、前後に離間した両球案内面の間に位置する壁面で前記第２開口端側から流入した遊技球を受け止め可能な段差状に前記案内部が形成されている」構成とは、
「前記案内部は、前記検出手段から離れた位置に設けられて、前記遊技球を前記検出手段に向けて案内する球案内面を前部に備えた反対側案内壁と、該反対側案内壁より該検出手段側に近接した位置に設けられて、前記遊技球を前記検出手段に向けて案内する球案内面を前部に備えた第２案内壁とから構成され、前記第２案内壁の球案内面は、前記反対側案内壁の球案内面よりも前記入賞口から後方へ離れた位置に設けられて、前後に離間した両球案内面の間に壁面が位置し、段差状に前記案内部が形成されている」点で共通している。
ケ　したがって、本願補正発明と刊行物１発明とは、 
「遊技球が流下する遊技領域が画成された遊技盤に配設され、該遊技領域を遊技盤の盤面に沿って移動した遊技球が入賞可能に前方へ開口する入賞口を有すると共に該入賞口に連通する入賞空間が画成された本体と、前記本体に前記入賞口を開閉可能に設けられた開閉手段と、前記本体に配置され、前記入賞口から前記入賞空間へ流入した遊技球を検出する検出手段とを備え、所定の開放条件の成立により前記開閉手段を開動作して前記入賞口を開き、所定の閉鎖条件の成立により該開閉手段を閉動作して該入賞口を閉じるよう構成された入賞装置を備えた遊技機において、
　前記入賞口における左右の何れか一方の開口端側から、前記入賞空間へ遊技球が主として流入するよう構成され、
　前記検出手段は、前記入賞口における遊技球が主として流入する第１開口端側とは反対に位置する第２開口端側に配置され、
　前記入賞空間には、遊技球を前記検出手段に向けて案内する案内部が設けられ、
　前記案内部は、前記検出手段から離れた位置に設けられて、前記遊技球を前記検出手段に向けて案内する球案内面を前部に備えた反対側案内壁と、該反対側案内壁より該検出手段側に近接した位置に設けられて、前記遊技球を前記検出手段に向けて案内する球案内面を前部に備えた第２案内壁とから構成され、
　前記第２案内壁の球案内面は、前記反対側案内壁の球案内面よりも前記入賞口から後方へ離れた位置に設けられて、前後に離間した両球案内面の間に壁面が位置し、段差状に前記案内部が形成されている遊技機。」である点で一致し、以下の点で相違する。 
［相違点１］
　反対側案内壁に関して、本願補正発明は、「第１案内壁」からなるのに対して、刊行物１発明は、第３の壁面及び第４の壁面からなる点。
［相違点２］
　段差状に形成された案内部における壁面に関して、本願補正発明は、「第２開口端側から流入した遊技球を受け止め可能」であるのに対して、刊行物１発明は、遊技球を受け止め可能か否か不明である点。
（３）判断 
　上記相違点について検討する。
ア　相違点１について
　刊行物１発明の反対側案内壁は、検出手段と反対側の離れた位置に設けられ、遊技球を検出手段に向けて案内するものであるから、流入する遊技球を、反対側案内壁に沿って、検出手段の方向へ案内する役割をもっている。そして、該案内壁の構成を複数の面からなる壁とするか１つの面からなる壁とするかは、該案内壁の幅、長さ等を考慮して当業者が適宜決定しうる設計事項というべきである。
　よって、刊行物１発明の反対側案内壁を、１つの面からなる第１案内壁で構成して、相違点１に係る本願補正発明の構成とすることは、当業者が容易になし得たことである。
イ　相違点２について
　刊行物１発明の第２の壁面（本願補正発明の「壁面」に相当する）は、前記（１）の（１−ｉ）の認定によれば、「第１の壁面（本願補正発明の「第２案内壁」に相当する）の右側につながって、左から右へ連続するにつれて前方（扉６５１側）に突出するよう傾斜して形成されている」から、第１の壁面の右側で、左斜め前方に傾斜面を向けて位置しているものと言える。
　ところで、前記（２）ウにおいて、刊行物１発明は、大入賞口１２５の右開口端側から空間Ａ１へ遊技球が主として流入するとしたが、遊技球の軌道やその挙動は、釘等の存在により不規則になることは明らかであるから、遊技球が左開口端側から流入することもあり得る。
　そうすると、前記第２の壁面は、刊行物１発明の遊技機において、大入賞口１２５の左開口端側（本願補正発明の「第２開口端側」に相当する）から流入して右に向かう遊技球が存在した場合に、第１の壁面に沿って右に向かってくる遊技球の移動を妨げる可能性が高いものである。
　そして、刊行物１発明の前記第２の壁面は、上記の通り、右に向かってくる遊技球の移動を妨げる可能性が高く、流入する遊技球の勢いや方向によって移動を妨げることが可能であるから、この壁面で遊技球を受け止め可能とすることは、当業者にとって格別困難なことではない。
　よって、刊行物１発明の前記第２の壁面を、左開口端側から流入した遊技球を受け止め可能な構成として、すなわち、本願補正発明における「壁面を、第２開口端側から流入した遊技球を受け止め可能」な構成として、相違点２に係る本願補正発明の構成とすることは、当業者が容易になし得たものである。
　なお、請求人は、平成２７年８月１９日付け審判請求書の第１０頁第１５行〜第２１行において、「しかしながら、引用文献１には、仕切り壁６５６を、大入賞口スイッチ２１５から離れた第１仕切り壁および該第１仕切り壁よりも大入賞口スイッチ２１５側に位置する第２仕切り壁から構成すると共に、第２仕切り壁を第１仕切り壁よりも後方に位置するように設けたもとで、前後に離間する第１および第２仕切り壁の間に位置する壁面により、大入賞口スイッチ２１５が設置された左開口端側から流入した遊技球を該大入賞口スイッチ２１５と反対側へ移動することを規制するように受け止める構成は、開示も示唆もされていない。」と主張している。
　この点について検討すると、本願補正発明の「壁面で前記第２開口端側から流入した遊技球を受け止め可能」との構成は、文言自体は当初明細書等に記載されておらず、図６〜図９及び図１２から読み取った構成である。
　そして、各図面から、第１案内壁６１と第２案内壁６２との間に段差が存在することは読み取れるが、この段差部分に存在する壁面の具体的な構成を読み取ることは不可能であり、また、この壁面が第２開口端側から流入した遊技球の全てを受け止め可能なものか否かも不明である。
　その点、確かに、刊行物１（引用文献１）にも、「第２の壁面で左開口端側から流入した遊技球を受け止め可能」な点は明記されていないが、上記「イ　相違点２について」で検討したとおり、第２の壁面を、遊技球の移動を妨げる可能性が高い構成とする点は、図２７から読み取ることが可能であり、この点で、本願補正発明と大きく相違するものではない。
　なお、仮に本願補正発明が、当初明細書等の図面から読み取れる以上の構成を含む場合には、本願補正発明における「壁面で前記第２開口端側から流入した遊技球を受け止め可能」との補正事項は、新規事項と判断されることとなる。
　しかしながら、前置報告書において新規事項の指摘はなく、また当審も、本願補正発明において、図面から読み取れる範囲での「受け止め可能」な構成を認めているのであるから、刊行物１の認定も明細書に記載が無くとも図面から認定することは可能である。
　よって、請求人の上記主張は採用できない。
ウ　本願補正発明が奏する効果について
　上記相違点１、２によって本願補正発明が奏する効果は、当業者が刊行物１発明から予測し得る程度のものであって、格別のものではない。
エ　まとめ
　よって、本願補正発明は、当業者が刊行物１発明に基づいて容易に発明をすることができたものであるから、特許法第２９条第２項の規定により、特許出願の際独立して特許を受けることができない。
４　補正却下の決定についてのむすび
　以上のとおり、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は上記のとおり却下されたので、本願の請求項１〜４に係る発明は、平成２６年１０月３日付け手続補正書により補正された特許請求の範囲１〜４に記載されたとおりのものであるところ、その請求項１に係る発明（以下「本願発明」という。）は次のとおりである。
 「【請求項１】
　遊技球が流下する遊技領域が画成された遊技盤に配設され、該遊技領域を遊技盤の盤面に沿って移動した遊技球が入賞可能に前方へ開口する入賞口を有すると共に該入賞口に連通する入賞空間が画成された本体と、前記本体に前記入賞口を開閉可能に設けられた開閉手段と、前記本体に配置され、前記入賞口から前記入賞空間へ流入した遊技球を検出する検出手段とを備え、所定の開放条件の成立により前記開閉手段を開動作して前記入賞口を開き、所定の閉鎖条件の成立により該開閉手段を閉動作して該入賞口を閉じるよう構成された入賞装置を備えた遊技機において、
　前記入賞口における左右の何れか一方の開口端側から、前記入賞空間へ遊技球が主として流入するよう構成され、
　前記検出手段は、前記入賞口における遊技球が主として流入する第１開口端側とは反対に位置する第２開口端側に配置され、
　前記入賞空間には、遊技球を前記検出手段に向けて案内する案内部が設けられ、
　前記案内部は、前記検出手段から離れた位置に設けられた第１案内壁と、該第１案内壁より該検出手段側に近接した位置に設けられた第２案内壁とから構成され、
　前記第２案内壁は、前記第１案内壁よりも前記入賞口から後方へ離れて設けられていることを特徴とする遊技機。」
２　刊行物１に記載された発明
　刊行物１の記載事項及び刊行物１発明は、上記「第２　３（１）」に記載したとおりである。
３　対比・判断
　本願発明は、上記「第２」で検討した本願補正発明から、「第１案内壁」が「前記遊技球を前記検出手段に向けて案内する球案内面を前部に備えた」点、「第２案内壁」が「前記遊技球を前記検出手段に向けて案内する球案内面を前部に備えた」点、第１案内壁の球案内面と第２案内壁の球案内面の位置関係について「前記第２案内壁の球案内面は、前記第１案内壁の球案内面よりも前記入賞口から後方へ離れた位置に設けられる」点、「案内部」が、「前後に離間した両球案内面の間に位置する壁面で前記第２開口端側から流入した遊技球を受け止め可能な段差状に形成されている」点を省いたものである。
　そして、上記「第２　３（２）」で検討した内容を踏まえれば、本願発明と刊行物１発明を対比した相違点は、以下のとおりとなる。
［相違点１’］
　反対側案内壁に関して、本願発明は、「第１案内壁」からなるのに対して、刊行物１発明は、第３の壁面および第４の壁面からなる点。
　上記［相違点１’］については、上記「第２　３（３）」で検討した相違点１と同様のものであるから、当業者が刊行物１発明に基づいて容易になし得たことである。
　また、上記相違点１’によって本願発明が奏する効果は、当業者が刊行物１発明から予測し得る程度のものであって、格別のものではない。
　よって、本願発明は、当業者が刊行物１発明に基づいて容易に発明をすることができたものである。
４　むすび
　以上のとおり、本願発明は、刊行物１発明に基づいて当業者が容易に発明をすることができたものであるから、特許法第２９条第２項の規定により特許を受けることができない。
　したがって、その余の請求項について検討するまでもなく、本願は拒絶されるべきものである。
　よって、結論のとおり審決する。